(57)【要約】【課題】  従来の換気空調装置は、複数の部屋のうち、ある部屋の室内温度が設定温度に達したが、他の部屋が設定温度に達しないとき、設定温度に達した部屋の室内温度が換気量を確保するため給気を続ける場合、設定温度を維持するためにダンパーを閉じすぎることによる風切音が発生しやすいという問題があった。【解決手段】  本発明の換気空調装置によると、風量調節手段３１が、ダンパー６２のダンパー開度を全開から所定の下限開度の範囲で変えるとき、下限開度を送風機２のインバータ周波数に応じて変更するか、下限開度を制御手段４が算出した総和風量に応じて変更するか、または、下限開度を制御手段４が算出した総和風量及び送風機２のインバータ周波数に応じて変更する。【選択図】図３
2006250386.tif 000002
【特許請求の範囲】
【請求項１】
換気装置と、該換気装置が取り入れた外気及び換気空調空間を循環する循環空気を温調する熱交換器と、温調後の空気を複数の前記換気空調空間に送風する送風機と、前記複数の換気空調空間にそれぞれ設置され、ダンパーのダンパー開度を変えることにより前記送風機からの送風量から取込み風量を調節する風量調節手段と、前記換気空調空間の温度と設定温度との温度差に基いてそれぞれの前記換気空調空間の要求風量を求め、該要求風量に基いて前記風量調節手段に前記ダンパーのダンパー開度を変えさせるとともに、前記複数の換気空調空間のそれぞれの要求風量から総和風量を算出し、該総和風量に基き前記送風機のインバータ周波数を制御する制御装置とを備えた換気空調装置であって、
前記風量調節手段が、前記ダンパーのダンパー開度を全開から所定の下限開度の範囲で変えるとき、前記下限開度は前記送風機のインバータ周波数に応じて変更されることを特徴とする換気空調装置。
【請求項２】
換気装置と、該換気装置が取り入れた外気及び換気空調空間を循環する循環空気を温調する熱交換器と、温調後の空気を複数の前記換気空調空間に送風する送風機と、前記複数の換気空調空間にそれぞれ設置され、ダンパーのダンパー開度を変えることにより前記送風機からの送風量から取込み風量を調節する風量調節手段と、前記換気空調空間の温度と設定温度との温度差に基いてそれぞれの前記換気空調空間の要求風量を求め、該要求風量に基いて前記風量調節手段に前記ダンパーのダンパー開度を変えさせるとともに、前記複数の換気空調空間のそれぞれの要求風量から総和風量を算出し、該総和風量に基き前記送風機のインバータ周波数を制御する制御装置とを備えた換気空調装置であって、
前記風量調節手段が、前記ダンパーのダンパー開度を全開から所定の下限開度の範囲で変えるとき、前記下限開度は前記制御手段が算出した前記総和風量に応じて変更されることを特徴とする換気空調装置。
【請求項３】
換気装置と、該換気装置が取り入れた外気及び換気空調空間を循環する循環空気を温調する熱交換器と、温調後の空気を複数の前記換気空調空間に送風する送風機と、前記複数の換気空調空間にそれぞれ設置され、ダンパーのダンパー開度を変えることにより前記送風機からの送風量から取込み風量を調節する風量調節手段と、前記換気空調空間の温度と設定温度との温度差に基いてそれぞれの前記換気空調空間の要求風量を求め、該要求風量に基いて前記風量調節手段に前記ダンパーのダンパー開度を変えさせるとともに、前記複数の換気空調空間のそれぞれの要求風量から総和風量を算出し、該総和風量に基き前記送風機のインバータ周波数を制御する制御装置とを備えた換気空調装置であって、
前記風量調節手段が、前記ダンパーのダンパー開度を全開から所定の下限開度の範囲で変えるとき、前記下限開度は前記制御手段が算出した前記総和風量及び前記送風機のインバータ周波数に応じて変更されることを特徴とする換気空調装置。
【請求項４】
空調設定を変更する空調設定手段を備え、該空調設定手段により前記下限開度を任意に設定できることを特徴とする請求項１〜請求項３のいずれかの請求項に記載の換気空調装置。
【請求項５】
空調設定を変更する空調設定手段を備え、該空調設定手段により前記インバータ周波数を任意に設定できることを特徴とする請求項１〜請求項３のいずれかの請求項に記載の換気空調装置。
【発明の詳細な説明】
【技術分野】
【０００１】
本発明は、冷暖房及び換気を行う換気空調装置に関するものである。
【背景技術】
【０００２】
この種の換気空調装置としては、次のものがある。
空調対象域である各部屋の目標域温と検出域温との偏差について上下偏差値が設定された目標偏差範囲と、風量について上下限風量値が設定された風量調整範囲とを対応させて、偏差の計測値に対応する風量値を目標風量値とする形態で、各部屋への給気風量をダンパ開度の調整により風量目標値に調整するもので、制御装置の変更指令に応じて、風量調整範囲の上限風量値又は下限風量値を冷暖房負荷の特性変化に対して設定変更する（例えば、特許文献１参照）。
【特許文献１】特開平８−２７１０２８号公報（第１０頁〜第１２頁、図１、図２）
【発明の開示】
【発明が解決しようとする課題】
【０００３】
上記従来の換気空調装置は、冷暖房負荷変化へ容易に適合するものではあるが、複数の部屋のうち、ある部屋の室内温度が目標域温である設定温度に達したが、他の部屋が設定温度に達しないとき、設定温度に達した部屋の室内温度が換気量を確保するため給気を続ける場合、設定温度を維持するためにダンパーを閉じすぎることによる風切音が発生しやすいという問題があった。
【０００４】
本発明は、上記のような問題を解決するためになされたものであり、室内温度が設定温度に達している部屋の室内温度を、ダンパーの閉じ過ぎによる風切音を発生させることなく、冷房時は下げ過ぎず、暖房時は上げ過ぎずに換気量を確保できる換気冷暖房装置を提供することを目的とする。
【課題を解決するための手段】
【０００５】
本発明の換気空調装置は、換気装置と、該換気装置が取り入れた外気及び換気空調空間を循環する循環空気を温調する熱交換器と、温調後の空気を複数の換気空調空間に送風する送風機と、複数の換気空調空間にそれぞれ設置され、ダンパーのダンパー開度を変えることにより送風機からの送風量から取込み風量を調節する風量調節手段と、換気空調空間の温度と設定温度との温度差に基いてそれぞれの換気空調空間の要求風量を求め、該要求風量に基いて風量調節手段にダンパーのダンパー開度を変えさせるとともに、複数の換気空調空間のそれぞれの要求風量から総和風量を算出し、該総和風量に基き送風機のインバータ周波数を制御する制御装置とを備えた換気空調装置であって、
風量調節手段が、ダンパーのダンパー開度を全開から所定の下限開度の範囲で変えるとき、下限開度が送風機のインバータ周波数に応じて変更されるもの、下限開度が制御手段の算出した総和風量に応じて変更されるもの、または、下限開度が制御手段の算出した総和風量及び送風機のインバータ周波数に応じて変更されるものである。
【発明の効果】
【０００６】
本発明の換気空調装置によると、風量調節手段が、ダンパーのダンパー開度を全開から所定の下限開度の範囲で変えるとき、下限開度が送風機のインバータ周波数に応じて変更されるもの、下限開度が制御手段の算出した総和風量に応じて変更されるもの、または、下限開度が制御手段の算出した総和風量及び送風機のインバータ周波数に応じて変更されるものであるので、換気空調空間の温度が設定温度に達している換気空調空間は、ダンパー開度を、インバータ周波数、総和風量、または、インバータ周波数と総和風量に応じて決まる下限開度とすることにより、換気量を確保し、設定温度をほぼ維持し、かつ、風量の絞り過ぎによるダンパーからの風切音の発生を防止できる。
【発明を実施するための最良の形態】
【０００７】
実施の形態１．
図１は、実施の形態１の換気空調装置の構成を示す構成図であり、図２は、図１の換気空調装置の風量調節手段の構成図であり、図３は、同じく主制御部のダンパー制御動作を示すフローチャートである。
図１において、住宅の天井裏に空調装置１と熱交換型換気ユニット２１及びダクト配管１１、１２、１３、１４が設置されている。
空調装置１には、ヒートポンプ式の熱源機等の熱源発生機５１から冷熱媒または温熱媒が供給される熱交換器である冷暖房用コイル３と送風機である還流用送風機２が組み込まれており、冷暖房用コイル３の吸込み側には還気口６と換気用給気口７が配置され、還流用送風機２の吹出し側には給気吹出し口５が配置されている。
熱交換型換気ユニット２１には、全熱交換器２２と給気用送風機２３と排気用送風機２４が配置され、給気用送風機２３の吸込み側には給気吸込み口２８が配置され、吹出し側には全熱交換器２２を挟んで給気吹出し口２６が配置され、また、排気用送風機２４の吸込み側には排気吸込み口２５が配置され、排気用送風機２４の吹出し側には全熱交換器２２を挟んで排気吹出し口２７が配置されている。排気吹出し口２７と給気吸込み口２８は、それぞれダクトを介して外気に通じている。
【０００８】
部屋Ｄ（サニタリー等）の排気吸込みグリル３４は、排気吸込み口２５とダクト１４を介して接続され、また、給気吹出し口２６は換気用給気口７とダクト１５を介して接続されている。また、廊下に設けられた還気吸込みグリル３３は、ダクト１３により還気口６と連通される。部屋Ａ、Ｂ、Ｃの吹出しグリル３２は、各部屋の風量を調節する風量調節手段３１に接続されており給気吹出し口５とダクト１１、１２を介して連通される。また、各部屋Ａ、Ｂ、Ｃの廊下側には還流空気を通すドアのアンダーカット、ギャラリー等の還流口３５が設けられている。ここで、部屋Ａ、Ｂ、Ｃ、Ｄが、換気空調空間である。
各部屋Ａ、Ｂ、Ｃには室内温度検知手段４４を有する温度調節回路４３が設置され、廊下等に設置され、空調装置１及び熱交換型換気ユニット２１を操作する空調設定手段である操作部４１を介して制御装置である主制御部４と接続されており、主制御部４は、熱源発生機５１を制御するとともに熱交換型換気ユニット２１を制御する機能も有する。
図２において各部屋Ａ、Ｂ、Ｃの風量を変更する風量調節手段３１は、ダンパー６２とダンパー６２を駆動する駆動部６１が組み込まれており、ダンパー６２のダンパー開度を変えることにより各部屋Ａ、Ｂ、Ｃへ取込む空気の量を調節する。
【０００９】
次に、冷暖房、換気動作について図１、図２、図３により説明する。
部屋Ａ、Ｂ、Ｃを冷房または暖房する場合には、熱源発生機５１から冷暖房用コイル３に冷熱媒または温熱媒を供給し、環流用送風機２を運転することにより、給気吹出口５から冷暖房用コイル３で冷却された冷風または温められた温風が給気用ダクト１１、１２を通って給気グリル３２から各部屋Ａ、Ｂ、Ｃに供給される。各部屋Ａ、Ｂ、Ｃを冷房または暖房、及び換気をした空気は各部屋Ａ、Ｂ、Ｃの還流口３５を通って廊下へと吹出し、還気吸込みグリル３３から再び吸込まれる。一部の空気は部屋Ｄの還流口３５から吸込まれ部屋Ｄを冷房または暖房、及び換気をしたのち排気吸込みグリル３４からダクト１４、熱交換型換気ユニット２１の排気用送風機２４、全熱交換器２２を通過し、排気口２７から排出される。
外気は、熱交換型換気ユニット２１に給気吸込み口２８から給気用送風機２３により取入れられ、全熱交換器２２にて排出される空気と熱交換をした後、換気吹出し口２６にダクト１５を介して連通した空調装置１の換気用給気口７へと導かれ、室内の空気と混合されて各部屋Ａ、Ｂ、Ｃへと供給される。
【００１０】
各部屋Ａ、Ｂ、Ｃの温度は室内温度検知手段４４により検出され、温度調節回路４３、空調設定手段である操作部４１を介して制御装置である主制御部４へと伝えられる。主制御部４は、各部屋Ａ、Ｂ、Ｃの室内温度検知手段４４により検出された検知温度と温度調節回路４３で設定した目標室内温度との差と、各部屋Ａ、Ｂ、Ｃの部屋の広さや空調の負荷の大きさに応じて予め温度調節回路４３に入力された能力ランクとにより要求風量を求める。要求風量は、能力ランクが大きく、室内温度検知手段４４により検出された検知温度と目標室内温度の差（冷房時：検知温度−目標室内温度、暖房時：目標室内温度−検知温度）が大きい程大きくなる。主制御部４は、このようにして求められた各部屋Ａ、Ｂ、Ｃの要求風量より総和風量を求め、この総和風量より空調装置１の還流用送風機２の送風量を制御する。
【００１１】
一方、風量調節手段３１は、各部屋Ａ、Ｂ、Ｃの温度調節回路４３に接続されており、主制御部４に予め入力された給気吹出し口５から各風量調節手段３１までのそれぞれの圧力損失値と、各部屋Ａ、Ｂ、Ｃの要求風量により主制御部４にて制御され、風量調節手段３１はダンパ６２の開度を調節する。給気吹出し口５から風量調節手段３１までの圧力損失値が大きく要求風量が大きい程、風量調節手段３１内のダンパー６２は開度が大きい状態となる。
逆に、室内温度検知手段４４により検出された検知温度が、目標室内温度を満たしていればダンパー６２の開度は最小（例えば、風量制御範囲の後述の第１の下限開度Ｄ１、第２の下限開度Ｄ２）となる。ただし、部屋の換気量を確保するために全閉（Ｄ３）にはならず後述の下限開度（Ｄ１、Ｄ２）となる。
【００１２】
次に、図３により風量調節手段３１のダンパー６２のダンパー開度を決定するときの主制御部４の制御動作を説明する。
まず、室内温度検知手段４４により検知した検知温度と温度調節回路４３により設定された目標室内温度とを比較し（ステップＳ１）、総ての部屋の検知温度が目標室内温度に達している場合（温調ＯＦＦ）には（ステップＳ２）、熱源発生機５１の運転を停止（ステップＳ３）し、すべての風量調節手段３１のダンパー６２を全開（Ｄ０）（ステップＳ４）とし、各部屋Ａ、Ｂ、Ｃの換気量を確保するために総和風量を予め決められた所定の最小量に設定（ステップＳ５）し、還流用送風機２を制御する。
【００１３】
一方、室内温度検知手段４４により検知した検知温度と温度調節回路４３により設定された目標室内温度とを比較し、１部屋でも検知温度が目標室内温度に達していない場合（温調ＯＮ）には（ステップＳ２）、熱源発生機５１の運転を指示（ステップＳ６）し、各部屋Ａ、Ｂ、Ｃの室内温度検知手段４４により検出され検知温度と目標室内温度の差と、各部屋Ａ、Ｂ、Ｃの部屋の広さや空調の負荷の大きさに応じて予め温度調節回路４３に入力されたに能力ランクとにより要求風量を求める総和風量を求め（ステップＳ７）、ダンパー６２の開度を全開（Ｄ０）から予め決められた所定の第１の下限開度（Ｄ１）の範囲で制御（ステップＳ８）し、主制御部４によりインバータ駆動式の還流用送風機２のインバータ周波数を制御（ステップＳ９）する。設定したインバータ周波数が予め決められた所定のＦ１Ｈｚ以下（ステップＳ１０）でない場合は、インバータ周波数をこの設定インバータ周波数に決定し、設定したインバータ周波数がＦ1Ｈｚ以下（ステップＳ１０）の場合は、ダンパー６２の開度を全開（Ｄ０）から第１の下限開度Ｄ１より開度が小さい予め決められた所定の第２の下限開度（Ｄ２）の範囲で制御（ステップＳ１１）し、圧損系が変わるため再度風量制御手段によりインバータ駆動式の還流用送風機２のインバータ周波数を調整（ステップＳ１２）する。
【００１４】
このように、例えば、部屋Ａの検知温度が目標室内温度に達していて、部屋Ｂ、Ｃの検知温度が目標室内温度に達していない場合、熱源発生機５１は運転し、冷暖房用コイル３には冷熱媒または温熱媒を供給し、環流用送風機２により冷房または暖房された空気が各部屋Ａ、Ｂ、Ｃに供給される。部屋Ａでは、検知温度が目標室内温度に達しているため冷房または暖房をする必要はないが換気量を確保するため微風量を供給する必要がある。その際、環流用送風機２のインバータ周波数が低ければ、ダンパー６２の可動範囲を広げ（Ｄ０〜Ｄ１をＤ０〜Ｄ２とする）風量制御範囲を拡大する。そこで、インバータ周波数が所定値Ｆ１Ｈｚ以下、即ち、還流用送風機２の送風量が少なくなると、部屋Ａのダンパー開度をＤ１からＤ２と小さくし、換気を行いつつ、部屋の温度を維持し、かつ、風切音の発生を防止する。
【００１５】
以上のように、ある部屋の検知温度が目標室内温度に達していて、他の部屋の検知温度が目標室内温度に達していない場合でも、検知温度が目標室内温度に達している部屋の換気量を確保し、室内温度を下げ過ぎ（冷房）、または上げ過ぎ（暖房）を抑制でき、かつダンパー６２の閉め過ぎによる風切音の発生を防ぐことが可能である。
【００１６】
実施の形態２．
本実施の形態の換気空調装置では、主制御部４が総和要求風量によりダンパー開度を決定する制御を行う。その他は実施の形態１の換気空調装置と同じである。
図４は、ダンパー開度を決定するときの主制御部４の制御動作のフローチャートである。
まず、室内温度検知手段４４により検知した検知温度と温度調節回路４３により設定された目標室内温度とを比較し（ステップＳ２１）、総ての部屋の検知温度が目標室内温度に達している場合（温調ＯＦＦ）には（ステップＳ２２）、熱源発生機５１の運転を停止（ステップＳ２３）し、すべての風量調節手段３１のダンパー６２を全開（Ｄ０）（ステップＳ２４）とし、各部屋の換気量を確保するために総和風量を予め決められた所定の最小量に設定（ステップＳ２５）し還流用送風機２を制御する。
【００１７】
一方、室内温度検知手段４４により検知した検知温度と温度調節回路４３により設定された目標室内温度とを比較し、１部屋でも検知温度が目標室内温度に達していない場合（温調ＯＮ）には（ステップＳ２２）、熱源発生機５１の運転を指示（ステップＳ２６）し、各部屋Ａ、Ｂ、Ｃの室内温度検知手段４４により検出され検知温度と目標室内温度の差と、各部屋Ａ、Ｂ、Ｃの部屋の広さや空調の負荷の大きさに応じて予め温度調節回路４３に入力された能力ランクとにより要求風量を求める総和風量を求め（ステップＳ２７）、総和要求風量が予め決められた所定のＱ１ｍ3／ｈ以下でない場合には、ダンパー６２の開度を全開（Ｄ０）から第１の下限開度（Ｄ１）の範囲で制御（ステップＳ３０）し、総和要求風量がＱ１ｍ3／ｈ以下の場合には、ダンパー６２の開度を全開（Ｄ０）から第２の下限開度（Ｄ２）の範囲で制御（ステップＳ２９）し、主制御部４によりインバータ駆動式の還流用送風機２のインバータ周波数を制御（ステップＳ３１）するものである。
【００１８】
このように、例えば、部屋Ａの検知温度が目標室内温度に達していて、部屋Ｂ、Ｃの検知温度が目標室内温度に達していない場合、熱源発生機５１は運転し冷暖房用コイル３には冷熱媒または温熱媒を供給し、環流用送風機２により冷房または暖房された空気が各部屋Ａ、Ｂ、Ｃに供給される。部屋Ａでは、検知温度が目標室内温度に達しているため冷房または暖房をする必要はないが換気量を確保するため微風量を供給する必要がある。その際、総和要求風量が少なくければ、ダンパー６２の可動範囲を広げ風量制御範囲を拡大する。
【００１９】
以上のように、ある部屋の検知温度が目標室内温度に達していて、他の部屋の検知温度が目標室内温度に達していない場合でも、検知温度が目標室内温度に達している部屋の換気量を確保し、室内温度を下げ過ぎ（冷房）、または上げ過ぎ（暖房）を抑制でき、かつダンパー６２の閉め過ぎによる風切音の発生を防ぐことが可能である。
【００２０】
実施の形態３．
本実施の形態の換気空調装置では、主制御部４が総和風量及びインバータ周波数によりダンパー開度を決定する制御を行う。その他は実施の形態１、２の換気空調装置と同じである。
図５は、ダンパー開度を決定するときの主制御部４の制御動作のフローチャートである。
まず、室内温度検知手段４４により検知した検知温度と温度調節回路４３により設定された目標室内温度とを比較し（ステップＳ５１）、総ての部屋の検知温度が目標室内温度に達している場合（温調ＯＦＦ）には（ステップＳ５２）、熱源発生機５１の運転を停止（ステップＳ５３）し、すべての風量調節手段３１のダンパー６２を全開（Ｄ０）（ステップＳ５４）とし、各部屋の換気量を確保するために総和風量を予め決められた所定の最小量に設定（ステップＳ５５）し還流用送風機２を制御する。
【００２１】
一方、室内温度検知手段４４により検知した検知温度と温度調節回路４３により設定された目標室内温度とを比較し、１部屋でも検知温度が目標室内温度に達していない場合（温調ＯＮ）には（ステップＳ５２）、熱源発生機５１の運転を指示（ステップＳ５６）し、各部屋Ａ、Ｂ、Ｃの室内温度検知手段４４により検出され検知温度と目標室内温度の差と、各部屋Ａ、Ｂ、Ｃの部屋の広さや空調の負荷の大きさに応じて予め温度調節回路４３に入力されたに能力ランクとにより要求風量を求める総和風量を求め（ステップＳ５７）、総和要求風量が予め決められた所定のＱ１ｍ3／ｈ以下でない場合には、ダンパー６２の開度を全開（Ｄ０）から第１の下限開度（Ｄ１）の範囲で制御（ステップＳ５９）し、主制御部４によりインバータ駆動式の還流用送風機２のインバータ周波数を制御（ステップＳ６０）する。総和要求風量がＱ１ｍ3／ｈ以下の場合でも、一旦ダンパー６２の開度を全開（Ｄ０）から第１の下限開度（Ｄ１）の範囲で制御（ステップＳ６１）し、主制御部４によりインバータ駆動式の還流用送風機２のインバータ周波数を制御（ステップＳ６２）する。設定したインバータ周波数が予め決められた所定のＦ1Ｈｚ以下（ステップＳ６３）でない場合は、インバータ周波数をこの設定周波数に決定し、設定したインバータ周波数がＦ1Ｈｚ以下（ステップＳ６３）の場合は、ダンパー６２の開度を全開（Ｄ０）から第２の下限開度（Ｄ２）の範囲で制御（ステップＳ６４）し、圧損系が変わるため再度主制御部４によりインバータ駆動式の還流用送風機２のインバータ周波数を調整（ステップＳ６５）する。
【００２２】
このように、例えば、部屋Ａの検知温度が目標室内温度に達していて、部屋Ｂ、Ｃの検知温度が目標室内温度に達していない場合、熱源発生機５１は運転し冷暖房用コイル３には冷熱媒または温熱媒を供給し、環流用送風機２により冷房または暖房された空気が各部屋Ａ、Ｂ、Ｃに供給される。部屋Ａでは、検知温度が目標室内温度に達しているため冷房または暖房をする必要はないが換気量を確保するため微風量を供給する必要がある。その際、総和要求風量が少なく、かつ環流用送風機２のインバータ周波数が低ければダンパー６２の可動範囲を広げ風量制御範囲を拡大する。
【００２３】
以上のように、ある部屋の検知温度が目標室内温度に達していて、他の部屋の検知温度が目標室内温度に達していない場合でも、検知温度が目標室内温度に達している部屋の換気量を確保し、室内温度を下げ過ぎ（冷房）、または上げ過ぎ（暖房）を抑制でき、かつダンパーの閉め過ぎによる風切音の発生を確実に防ぐことが可能である。
【００２４】
以下、実施の形態１〜３の換気空調装置の変形例を記載する。
実施の形態１〜３の換気空調装置において、ダンパー６２のダンパー開度がＤ０〜Ｄ１、Ｄ０〜Ｄ２の範囲で制御されるとき、空調設定手段である操作部４１によりダンパーの下限開度の値である第１の下限開度Ｄ１、第２の下限開度Ｄ２を任意に設定できるようにする。このようにすれば、室内温度を下げ過ぎ（冷房）、または上げ過ぎ（暖房）を確実に抑制でき、万が一ダンパーの閉め過ぎによる風切音の発生があっても、下限開度Ｄ２をＤ１近づける、またはＤ２、Ｄ１ともに開き気味にすることによりダンパー６２からの風切音を簡単に改善することが可能である。
【００２５】
また、ダンパー６２の下限開度の値を変更するための条件である還流用送風機２のインバータ周波数の値を空調設定手段である操作部４１により任意に変更することができるようにすることにより、室内温度を下げ過ぎ（冷房）、または上げ過ぎ（暖房）をさらに確実に抑制できる。
また、空調設定手段である操作部４１により任意にダンパー６２の下限開度の値を変更することができるようにすることにより、ダンパー６２の閉め過ぎによる風切音の発生があっても、下限開度Ｄ２をＤ１に近づける、またはＤ２、Ｄ１ともに開き気味にすることによりダンパー６２からの風切音を簡単に改善することが可能である。
【００２６】
また、実施の形態１、２の換気空調装置において、ダンパー６２の開度制御範囲を変更する基準値をインバータ周波数の値の場合はＦ１Ｈｚ、総和風量の値の場合はＱ１ｍ3／ｈとしているが、これらの基準値をそれぞれ増やし、増やした基準値に応じてダンパー６２の変更開度制御範囲も増やすことによりよりきめの細かい制御が可能となる。
さらに、ダンパー６２の開度制御範囲を全開Ｄ０〜下限開度とし、この下限開度をインバータ周波数の値や総和風量の値に対応して、連続的に設定するようにしてもよい。即ち、インバータ周波数の値や総和風量の値が大きい場合は、下限開度を大きくし、小さくなるにしたがって、下限開度も小さくする。
これらによれば、より確実に目標温度に達している部屋の換気量は確保し、冷房時に室内温度を下げ過ぎず、暖房時に上げ過ぎず、また、風切音の発生を防ぐことが可能である。
【００２７】
実施の形態１〜３の換気空調装置は、換気装置として全熱交換器２２を有する熱交換型ユニット２１を用いた場合を示したが、図６に示すように換気装置として換気に全熱交換器２２を使用せず、給気用送風機２３、排気用送風機２４を使用してもよく、同様な効果が得られる。
【図面の簡単な説明】
【００２８】
【図１】本発明の実施の形態１の換気空調装置の構成を示す構成図である。
【図２】図１の換気空調装置の風量調節手段の構成図である。
【図３】図１の換気空調装置の主制御部のダンパー制御動作を示すフローチャートである。
【図４】本発明の実施の形態２の換気空調装置の主制御回路のダンパー制御動作を示すフローチャートである。
【図５】本発明の実施の形態３の換気空調装置の主制御回路のダンパー制御動作を示すフローチャートである。
【図６】本発明の実施の形態１〜３の別の換気空調装置の構成を示す構成図である。
【符号の説明】
【００２９】
２  送風機、３  熱交換器、４  制御装置、２１  換気装置、３１  風量調節手段、４１  空調設定手段、６２  ダンパー、Ａ、Ｂ、Ｃ、Ｄ  換気空調空間。
【図１】
2006250386.tif 000003
【図２】
2006250386.tif 000004
【図３】
2006250386.tif 000005
【図４】
2006250386.tif 000006
【図５】
2006250386.tif 000007
【図６】
2006250386.tif 000008